(57)【要約】      （修正有）【課題】大きな把持力が安定して得られるまつげエクステンション用人工毛の把持用ピンセットを提供する。【解決手段】把持部把持面を好ましい長さ、把持部が好ましい幅、厚さの直線状もしくは湾曲状で対向する把持部把持面とし、該把持部把持面を軸方向に各々凹凸嵌合する凹条部を有する凹条把持面及び凸条部を有する凸条把持面とし、且つ該凹条把持面及び該凸条把持面の一方若しくは双方が軟質材被膜により被覆され、前記把持部把持面が弾性係数が５〜２０００ＭＰａで把持部把持面での被膜の厚さが１０〜３０μｍの軟質材被膜で被覆されているピンセットとする。【選択図】図１
2019063975.tif 000002
【特許請求の範囲】
【請求項１】
地まつげへのまつげエクステンション用人工毛装着に使用するまつげエクステンション用人工毛の把持用ピンセットであって、一端が固定され又は屈曲した支点部の先に操作部が形成されており、該操作部の先端にまつげエクステンション用人工毛を把持する把持部が形成されているピンセットにおいて、前記把持部が直線状もしくは湾曲状で対向する把持部把持面を有すると共に該把持部把持面には軸方向に各々凹凸嵌合する凹条部を有する凹条把持面及び凸条部を有する凸条把持面が設けられ、且つ該凹条把持面及び該凸条把持面の一方若しくは双方が軟質材被膜により被覆されさて構成されていることを特徴とするまつげエクステンション用人工毛の把持用ピンセット。
【請求項２】
前記把持部把持面の長さが１．０〜１０．０ｍｍであり、かつ前記把持部の基部の幅が０．５〜３．０ｍｍであると共に該把持部が先細状であることを特徴とする請求項１記載のまつげエクステンション用人工毛の把持用ピンセット。
【請求項３】
前記把持部の前記凸条部は幅が０．３〜１．５ｍｍであることを特徴とする請求項１又は２に記載のまつげエクステンション用人工毛の把持用ピンセット。
【請求項４】
前記把持部の前記凸条部の材質が前記軟質材被膜と同一材料であることを特徴とする請求項１〜３のいずれか１項に記載のまつげエクステンション用人工毛の把持用ピンセット。
【請求項５】
前記軟質材被膜の弾性係数が５〜２０００ＭＰａであると共に前記把持部把持面での被膜厚さが１０〜３０μｍであることを特徴とする請求項１〜４のいずれか１項に記載のまつげエクステンション用人工毛の把持用ピンセット。
【請求項６】
一端が前記操作部の内面に固定され他端に前記操作部の内面との摺動部を有し且つ湾曲部を有する内接スプリングを前記湾曲部が相互に当接するよう対向配置させて前記操作部の内面に各々設けたことを特徴とする請求項１〜５のいずれか１項に記載のまつげエクステンション用人工毛の把持用ピンセット。
【発明の詳細な説明】
【技術分野】
【０００１】  本発明は、地まつげへのまつげエクステンション用人工毛装着に使用するまつげエクステンション用人工毛の把持を目的としたピンセットに関し、特に地まつげに対し所望の角度をもって所望本数のまつげエクステンション用人工毛を確実に把持し装着するためのエクステンション用人工毛の把持用の金属製もしくは硬質樹脂製のピンセットに関する。
【背景技術】
【０００２】  従来より地まつげに人工毛を装着して、地まつげの長さを延長することは、地まつげを立体化してボリューム感を増大させると共に、目を大きく見せる効果があることが知られており、このような効果を持つまつげ用人工毛は、女性を中心として広く利用されている。【０００３】  利用者は、自身で簡単に取付けることができる、いわゆる、つけまつげと称されるタイプのものを利用する方法、他方では、地まつげ１本１本にまつげエクステンション用人工毛をピンセット（ツイーザーとも云う）にて把持し装着する方法がある。後者の方法においては、より細かい作業が必要となるため、専門の店舗にて技師による施術を受けることが行われている。【０００４】  上記のような施術においては、地まつげに対して所望の位置に所望の角度で所望本数のまつげエクステンション用人工毛をピンセットにより把持しての接着により複数本を装着して、地まつげの長さの延長や本数の増加などの相乗効果によりボリューム感の有るまつげを得ることが出来る。【０００５】  従来、地まつげにまつげエクステンション用人工毛を装着する施術用のピンセットとして、本出願人は下記特許文献１記載の技術を図２６に示すように提案している。即ち前記施術時におけるまつげエクステンション用人工毛に対する把持作業に際しては、施術作業中にピンセットの把持部先端及びその周辺部に付着した被把持物又はその一部を溶剤などからなる除去剤を使用しての除去作業を実施することが必須であるが、この除去作業の作業効率を高め、強力な除去剤を使用しないことで、ピンセットの素材を傷めることを防ぎ、且つ人体にも安全に作業することを可能とする、把持部にフッ素樹脂を含む塗料を用いて表面被覆加工を施した表面被覆ピンセットを提案している。【０００６】  また本出願人は下記特許文献２に於いて一端が固定された連結部の先に操作部を形成し、該操作部の先にまつげエクステンション用人工毛を把持する把持部が形成されているピンセットであって、前記把持部が直線状もしくは湾曲状で対向する平坦な把持部把持面を有すると共に軟質材被膜により被覆されていると共に該軟質材被膜に対する係止部を有して構成され、例えば図２７に示すようにピンセット１０１の先端側の先細り状の把持部１０５の把持部側面１０５−４の上下に断面円弧状で深さ０．２〜０．７ｍｍ程度の把持部側面凹部１０５−４ａを前記把持部側面１０５−４の全厚さに亘り各々２個所設けて構成すると共に、該把持部側面１０５−４を前記把持部側面凹部１０５−４ａと共に完全に覆うよう軟質材被膜１０６により被覆されているまつげエクステンション用人工毛の把持用ピンセットを提案している。
【先行技術文献】
【特許文献】
【０００７】
【特許文献１】実用新案登録第３１５５６２８号  公報
【特許文献２】特願２０１７−１４０３５５号  公報
【発明の概要】
【発明が解決しようとする課題】
【０００８】  しかしながら、前記特許文献１に記載された表面被覆ピンセットにあっては、エクステンション睫毛の取り付け作業中にピンセットの先端周辺部に付着した接着剤又はその一部を除去することが容易になり、除去に際し強力な除去剤の使用が不要になると共にピンセットの素材を傷めることがなく且つ人体にも安全な作業を可能とはしても、把持作業に用いる部位である把持部先端の対向する把持面は共に単なる平坦面であるためまつげエクステンション用人工毛は単に平坦な把持面に挟持されるだけであり大きな把持力が得にくく、また長期に亘る施術時の使用の過程で把持面に僅かでも形状不整を生じるとピンセット先端による把持機能が低下することとなり、さらに径の異なるまつげエクステンション用人工毛を一括して把持しての施術に対する配慮は全く成されていなかった。【０００９】  また、前記特許文献２に記載されたまつげエクステンション用人工毛の把持用ピンセットにあっては、前記把持部が直線状もしくは湾曲状で対向する平坦な把持部把持面を有すると共に軟質材被膜により被覆されていると共に該軟質材被膜に対する係止部を有して構成されているので長期に亘る除去剤の使用と払い拭い動作を伴う除去作業の繰り返しによりフッ素樹脂を含む塗料製の表面被覆がピンセット把持部先端の金属表面より剥離して移動し易いという問題を解決してはいるが、前記文献１と同様に把持作業に用いる部位である把持部先端の対向する把持面は共に単なる平坦面であるためまつげエクステンション用人工毛は単に平坦な把持面に挟持されるだけであり大きな把持力が得にくく、また長期に亘る施術時の使用の過程で把持面に僅かでも形状不整を生じるとピンセット先端による把持機能が低下することとなり、さらに径の異なるまつげエクステンション用人工毛を一括して把持しての施術に対する配慮は全く成されておらず、径の異なるまつげエクステンション用人工毛を同時に把持すると径の太いまつげエクステンション用人工毛を保持力強固に把持できても径の細いまつげエクステンション用人工毛は把持ができなかったり、把持できても保持力強固には把持が出来ずに装着位置にずれを生じたり、回転してまつ毛に対する装着角度に狂いが生じたり、装着時に脱落してしまうなどの多くの問題を有していた。【００１０】  本発明は、前記した従来ピンセットの多くの問題点、把持作業に用いる部位である把持部先端の対向する把持面は共に単なる平坦面であるためまつげエクステンション用人工毛は単に平坦な把持面に挟持されるだけであり大きな把持力が得にくく、また長期に亘る施術時の使用の過程で把持面に僅かでも形状不整を生じるとピンセット先端による把持機能が低下することとなり、さらに径の異なるまつげエクステンション用人工毛を一括して把持しての施術に対する配慮は全く成されておらず、径の異なるまつげエクステンション用人工毛を同時に把持すると径の太いまつげエクステンション用人工毛を保持力強固に把持できても径の細いまつげエクステンション用人工毛は把持できなかったり、把持できても保持力強固には把持が出来ず回転したり脱落するなど多くの問題を解決するためになされたもので、地まつげへのまつげエクステンション用人工毛装着に使用するまつげエクステンション用人工毛の把持用ピンセットを、一端が固定され又は屈曲した支点部の先に操作部が形成されており、該操作部の先にまつげエクステンション用人工毛を把持する把持部が形成されているピンセットにおいて、前記把持部が直線状もしくは湾曲状で対向する把持部把持面を有すると共に該把持部把持面には軸方向に各々凹凸嵌合する凹条部を有する凹条把持面及び凸条部を有する凸条把持面が設けられ、且つ該凹条把持面及び該凸条把持面の一方若しくは双方が軟質材被膜により被覆されさて構成されているまつげエクステンション用人工毛の把持用ピンセットを提供するものである。
【課題を解決するための手段】
【００１１】  本発明の地まつげへのまつげエクステンション用人工毛装着に使用するまつげエクステンション用人工毛の把持用ピンセットは、一端が固定され又は屈曲した支点部の先に操作部が形成されており、該操作部の先端にまつげエクステンション用人工毛を把持する把持部が形成されているピンセットにおいて、前記把持部が直線状もしくは湾曲状で対向する把持部把持面を有すると共に該把持部把持面には軸方向に各々凹凸嵌合する凹条部を有する凹条把持面及び凸条部を有する凸条把持面が設けられ、且つ該凹条把持面及び該凸条把持面の一方若しくは双方が軟質材被膜により被覆されさて構成されていることを特徴とするまつげエクステンション用人工毛の把持用ピンセットであり、さらに前記把持部把持面の長さが１．０〜１０．０ｍｍであり、かつ前記把持部の基部の幅が０．５〜３．０ｍｍであると共に該把持部が先細状であることを特徴とし、また前記把持部の前記凸条部は幅が０．３〜１．５ｍｍであることを特徴とし、さらに前記把持部の前記凸条部の材質が前記軟質材被膜と同一材料であることを特徴とし、さらにまた前記軟質材被膜の弾性係数が５〜２０００ＭＰａであると共に前記把持部把持面での被膜厚さが１０〜３０μｍであることを特徴とし、また一端が前記操作部の内面に固定され他端に前記操作部の内面との摺動部を有し且つ湾曲部を有する内接スプリングを前記湾曲部が相互に当接するよう対向配置させて前記操作部の内面に各々設けたことを特徴とすることを好ましい形態とするものである。
【発明の効果】
【００１２】  本発明のまつげエクステンション用人工毛の把持用の金属製もしくは硬質樹脂製のピンセットは操作部先端に形成されたまつげエクステンション用人工毛把持用の直線状もしくは湾曲状で対向する把持部把持面が軸方向に各々凹凸嵌合する凹条部を有する凹条把持面及び凸条部を有する凸条把持面が設けられ、且つ該凹条把持面及び該凸条把持面の一方若しくは双方が軟質材被膜により被覆されて構成されていることにより、まつげエクステンション用人工毛の把持時には凹条把持面の凹条部と凸条把持面の凸条部とがまつげエクステンション用人工毛を挟持しながら凹凸嵌合することによりまつげエクステンション用人工毛は略Ｕ字状（Ω字状）に複数の屈曲部を有して変形されながら把持されることとなり強固な保持力で安定して把持されると共に、例えまつげエクステンション用人工毛に回転力が作用しても略Ｕ字状（Ω字状）に複数の屈曲部を有して把持されることにより把持中に回転してまつ毛への装着角度に狂いを生じることが無く、さらにまつげエクステンション用人工毛の保持形状が略Ｕ字状（Ω字状）で複数の屈曲部を有していることにより例え複数本のまつげエクステンション用人工毛を把持しても各々のまつげエクステンション用人工毛に対する保持力は安定して得られることとなって各まつげエクステンション用人工毛は軸方向にずれを生じることがなく、さらにまた複数本の多少径の異なるまつげエクステンション用人工毛を把持しても各々のまつげエクステンション用人工毛は何れも略Ｕ字状（Ω字状）に変形されながら複数の屈曲部を有して把持されることとなり強固な保持力で安定して把持されることとなって把持中に径の細いまつげエクステンション用人工毛が軸方向にずれを生じたり回転してまつ毛への装着角度に狂いを生じたり、装着時にまつげエクステンション用人工毛が脱落して把持できないなどの問題が生じることがない。【００１３】  また本発明のまつげエクステンション用人工毛の把持用の金属製もしくは硬質樹脂製のピンセットは、一端が前記操作部の内面に固定され他端に前記操作部の内面との摺動部を有し且つピンセットの長さ方向への中心軸側へ向かって凸状の湾曲部を有する内接スプリングを前記湾曲部が相互に当接するよう対向配置させて前記操作部の内側に各々設けているが、これにより常時微弱な操作力で操作部を微妙に挟持するのではなく、内接スプリングによる反発力により相殺させながら操作することにより大きな把持力で挟持することが出来て把持力の微調整が不要となり安定して装着作業を施術できる。【００１４】  さらに本発明のまつげエクステンション用人工毛の把持用の金属製もしくは硬質樹脂製のピンセットは把持部把持面の長さＬを１．０〜１０．０ｍｍとすることにより短すぎてまつげエクステンション用人工毛の把持、特に複数本の一括把持がし難くなると共に長すぎて地まつげへの装着施術がし難くなることがなく、また把持部５の厚さＴを０．５〜３．０ｍｍとすることにより薄すぎてまつげエクステンション用人工毛に対する把持の作業性が劣ったり、厚過ぎて多数の地まつげを掻き分けて１本のまつげエクステンション用人工毛への装着施術時に瞼やまつげエクステンション用人工毛のリングホルダーなどと干渉���易くなって作業性が悪化することがなく、また把持部把持面の各々の幅Ｗを０．３〜３．０ｍｍとすることにより幅が小さ過ぎて把持力や外力（トレイ等の施術用器具への当接）により変形して形状不整を生じたり、幅が大きすぎて多数の地まつげを掻き分けてのまつげエクステンション用人工毛の装着施術時に瞼やまつげエクステンション用人工毛のリングホルダーなどと干渉し易くなって作業性が悪化することがない。
また把持部把持面を被覆する軟質材被膜の軟質材は弾性係数が５〜２０００ＭＰａであることにより、弾性係数が過小でまつげエクステンション用人工毛の把持時に軟質材被膜が撓み過ぎを防止すると共に弾性係数が過大で撓み難い被膜となり撓み量が不足してまつげエクステンション用人工毛表面に対する軟質材被膜の接触面積が不足するのを防止するためであり、軟質材製である凸条部の軟質材は弾性係数が５〜２０００ＭＰａであることにより凸条部が撓み過ぎてまつげエクステンション用人工毛を略Ｕ字状（Ω字状）に複数の屈曲部を有するよう変形させて保持することが出来なくなることを防止すると共に凸条部の剛性が過大なため屈曲部での変形量が不足してまつげエクステンション用人工毛表面に対する面圧が過大となって圧痕を生じる危惧や径の異なる複数本のまつげエクステンション用人工毛の一括把持時に各々のまつげエクステンション用人工毛に対する面圧に不均一さを生じて径の細いまつげエクステンション用人工毛は適正な面圧を確保し難くなることがない。
また軟質材被膜の把持面での好ましい被膜厚さが１０〜１００μｍであることにより、被膜厚さが薄すぎて把持時の凹条把持面の凹条部と凸条把持面の凸条部の凹凸嵌合に伴うまつげエクステンション用人工毛を挟持しての略Ｕ字状（Ω字状）への複数の屈曲部を有しての変形のため局部圧縮や局部伸びが生じて耐久性が確保できなくなることを避けると共に被膜厚さが過剰となり無駄な材料使用を避けることができる。
【図面の簡単な説明】
【００１５】
【図１】  本発明に係るピンセットの第１実施例の平面図である。
【図２】  本発明に係るピンセットの第１実施例の正面図である。
【図３】  本発明に係るピンセットの第１実施例の先端の拡大図である。
【図４】  図３に示すピンセット先端の把持部のＩ−Ｉ断面図である。
【図５】  図３に示すＩ−Ｉ断面図の部分拡大図である。
【図６】  本発明に係るピンセットの第１実施例の把持部によるまつげエクステンション用人工毛の把持状態の部分正面図である。
【図７】  図６に示すピンセット先端によるまつげエクステンション用人工毛を把持する前の把持部のＩＩ−ＩＩ断面図である。
【図８】  図６に示すまつげエクステンション用人工毛を把持した状態の把持部のＩＩ−ＩＩ断面の拡大断面図である。
【図９】  本発明に係るピンセットの第２実施例の図８相当図である。
【図１０】  本発明に係るピンセットの第３実施例の図８相当図である。
【図１１】  本発明に係るピンセットの第４実施例の図７相当図である。
【図１２】  本発明に係るピンセットの第５実施例の正面図である。
【図１３】  本発明に係るピンセットの第５実施例の平面図である。
【図１４】  本発明に係るピンセットの第５実施例の凸条把持面側より見た把持部把持面の斜視図である。
【図１５】  図１４に示す凸条把持面側の把持部把持面のＩＩＩ−ＩＩＩ断面の拡大断面図である。
【図１６】  本発明に係るピンセットの第５実施例の凹条把持面側より見た把持部把持面の斜視図である。
【図１７】  図１６に示す凹条把持面側の把持部把持面のＩＶ−ＩＶ断面の拡大断面図である。
【図１８】  本発明に係るピンセットの第５実施例の把持部によるまつげエクステンション用人工毛の把持状態の部分正面図である。
【図１９】  図１８に示すピンセット先端によるまつげエクステンション用人工毛を把持する前の把持部のＶ−Ｖ断面図である。
【図２０】  図１８に示すまつげエクステンション用人工毛を把持した状態の把持部のＶ−Ｖ断面の拡大断面図である。
【図２１】  本発明に係るピンセットの第６実施例の把持部による径の異なるまつげエクステンション用人工毛の把持状態の部分正面図である。
【図２２】  図２１に示すまつげエクステンション用人工毛を把持した状態の把持部のＶＩ−ＶＩ断面の拡大断面図である。
【図２３】  本発明に係るピンセットの第７実施例の平面図である。
【図２４】  図２３に示すピンセット先端の把持部のＶＩＩ−ＶＩＩ断面図の拡大断面図である。
【図２５】  図２３に示すピンセット先端の把持部のＶＩＩＩ−ＶＩＩＩ断面図の拡大断面図である。
【図２６】  図２４の断面位置におけるまつげエクステンション用人工毛の把持状態を示す拡大断面図である。
【図２７】  図２５の断面位置におけるまつげエクステンション用人工毛の把持状態を示す拡大断面図である。
【図２８】  従来技術を示すピンセットの斜視図である。
【図２９】  同じく従来技術を示すピンセットの把持部先端の斜視図で、把持部側面に把持部側面凹部を設けた例を示す。
【発明を実施するための形態】
【実施例】
【００１６】  以下、本発明に係るまつげエクステンション用人工毛の把持用ピンセットを、各実施の形態に基づき、図面を参照して詳細に説明する。【００１７】［装着の形態］
本発明に係るまつげエクステンション用人工毛の把持用ピンセット１の第１の実施例にあっては、図１に平面図、図２に正面図、図３に先端の拡大図、図４に図３のＩ−Ｉ断面図、図４の拡大図を図５に示すが、一端が板状の操作部３に連なる屈曲した支点部２を形成し前記操作部３の他端側がアーム部４及び接続部６を介して先端側の把持部５に連なり、前記アーム部４より先端側に連接された前記把持部５は直線状で対向する把持部把持面５−１を有し該把持部把持面５−１には軸方向に設けられて各々凹凸嵌合する凹条部Ａを有する凹条把持面５−１Ａ及び凸条部Ｂを有する凸条把持面５−１Ｂが設けられており、また前記凹条把持面５−１Ａは軟質材被膜により被覆されるが図５に示す様に前記凹条部Ａを挟んで両側の凹条脇把持面１（５−１Ａ−１）と凹条脇把持面２（５−１Ａ−２）は各々平坦であり且つ同一平面上に設けられ、さらに前記凸条把持面５−１Ｂの前記凸条Ｂは軟質材被膜と同材の弾性係数が５〜２０００ＭＰａの軟質材製にて製造され前記凸条把持面５−１Ｂに設置されている。なおピンセットの材質は特に限定しないが金属製である場合ステンレス鋼、チタン及びその合金、銅合金などピンセットとして一般に広く使用される金属で良く、また樹脂製の場合は硬質な樹脂やカーボンやアラミドなどの長繊維や短繊維、ナノファイバーを含有し強化され剛性の向上した硬質樹脂などが好ましい。【００１８】  図３に前記把持部５の前記把持部把持面５−１付近の拡大図を示すが前記把持部把持面の長さＬは１．０〜１０．０ｍｍが好ましく、１．０ｍｍ未満ではで短すぎてまつげエクステンション用人工毛の把持、特に複数本の一括把持がしずらくなると共に地まつげへの装着施術がし難くなり、また１０．０ｍｍを越えても作業性向上への寄与に大差はない。
前記把持部５のＩ−Ｉ断面図を図４に、拡大して図５に示すが、前記把持部５の厚さ、即ち把持部把持面５−１Ａ、５−１Ｂの厚さＴは０．５〜３．０ｍｍが好ましく、０．５ｍｍ未満では薄すぎてまつげエクステンション用人工毛に対する把持の作業性が劣り、３．０ｍｍを超えては多数の地まつげを掻き分けて１本のまつげエクステンション用人工毛への装着施術時に瞼やまつげエクステンション用人工毛のリングホルダーなどと干渉し易くなり作業性が悪化する、また前記把持部５の把持部把持面５−１Ａ、５−１Ｂの各々の幅Ｗは０．３〜３．０ｍｍが好ましく、０．３ｍｍ未満では薄すぎて把持力や外力（トレイ等の施術用器具への当接）により変形し易く、３．０ｍｍを超えると多数の地まつげを掻き分けてのまつげエクステンション用人工毛の装着施術時に瞼やまつげエクステンション用人工毛のリングホルダーなどと干渉し易くなり作業性が悪化する。
前記把持部把持面５−１を被覆する軟質材被膜７及び凸条部Ｂの材料である軟質材は弾性係数が５〜２０００ＭＰａで把持面での被膜厚さｔが１０〜３０μｍであるが、軟質材被膜及び凸条部Ｂの弾性係数が５〜２０００ＭＰａが好ましい理由は５ＭＰａ未満ではまつげエクステンション用人工毛の把持時に軟質材被膜が撓み易い被膜となって撓み過ぎるためこの撓み過ぎを防止するためであり、また凸条部Ｂに於いては凸条部Ｂが撓み過ぎてまつげエクステンション用人工毛を略Ｕ字状（Ω字状）に複数の屈曲部を有するよう変形させて保持することが出来ず、一方２０００ＭＰａを越えると撓み難い被膜となり撓み量が不足してまつげエクステンション用人工毛表面に対する軟質材被膜の接触面積が不足するためにこの軟質材被膜の接触面積が不足するのを防止するためであり、また凸条部Ｂに於いては凸条部Ｂの剛性が過大なため屈曲部での変形量が不足してまつげエクステンション用人工毛表面に対する面圧が過大となって圧痕を生じる危惧が生じたり、径の異なる複数本のまつげエクステンション用人工毛の一括把持時には各々のまつげエクステンション用人工毛に対する面圧に不均一さを生じて径の細いまつげエクステンション用人工毛は適正な面圧を確保しにくくなって不向きとなり、また軟質材被膜の把持面での好ましい被膜厚さｔが１０〜１００μｍである理由は被膜厚さが１０μｍ未満では把持時の凹条把持面の凹条部と凸条把持面の凸条部の凹凸嵌合に伴うまつげエクステンション用人工毛を挟持しての略Ｕ字状（Ω字状）への複数の屈曲部を有しての変形のため局部圧縮や局部伸びが生じて耐久性が確保できなくなることを避けるためであり、被膜厚さが１００μｍを越えても作業性向上、耐久性向上への寄与に大差はない。
なお軟質材被膜用の材質としてはゴム、シリコンゴム、フッ素ゴム、プリエチレン、ポリ塩化ビニル、ナイロン（ポリアミド）、ウレタン等の樹脂を弾性係数が５〜２０００ＭＰａとなるよう調整して使用する。【００１９】  本発明に係るまつげエクステンション用人工毛の把持用ピンセット１の第２の実施例にあっては図６に示す軟質材被膜７が被覆された直線的先細り状把持部５にてまつげエクステンション用人工毛８が把持された状態を示し、図７は図６の状把持部５により把持されたまつげエクステンション用人工毛８の軸心に沿うＩＩ−ＩＩ断面図で切断した断面図であり把持部把持面５−１の凸条把持面５−１Ｂ側の軟質材製凸条部Ｂを把持部把持面５−１の凹条把持面５−１Ａ側の軟質材被膜７を撓ませながら凹条部Ａへ凹凸嵌合させてまつげエクステンション用人工毛８を把持しつつある状態を示し、図８は把持が完了した状態の図６のＩＩ−ＩＩ断面の部分拡大断面図であり凸条部Ｂと凹条部Ａの凹凸嵌合によりまつげエクステンション用人工毛８は凸条部Ｂと凹条部Ａ側軟質材被膜７により略Ｕ字状（Ω字状）に複数の屈曲部を有して変形されて挟持され且つ強固に把持されている状態を示すが、まつげエクステンション用人工毛８は凹条部Ａ側軟質材被膜と凸条把持面５−１Ｂとにより挟持され把持されるので把持されずに露出している部分の方向性が安定し施術作業がし易い。なお図８にはまつげエクステンション用人工毛８が凹条部Ａ側軟質材被膜７及び把持部把持面５の凸条把持面５−１Ｂと接した状態で把持した例を示したが、凹凸嵌合による略Ｕ字状（Ω字状）に複数の屈曲部を有して変形させての把持力が大きく得られて強固に把持されているので、操作部への操作力を弱くし図９に示すように把持部把持面５の凸条把持面５−１Ｂとの間にはギャップＧを設けて把持しても把持が安定することを示す。
従ってまつげエクステンション用人工毛の把持時には凹条把持面の凹条部と凸条把持面の凸条部とがまつげエクステンション用人工毛を挟持しながら凹凸嵌合することによりまつげエクステンション用人工毛は略Ｕ字状（Ω字状）に複数の屈曲部を有して変形されながら把持されることとなり強固な保持力で安定して把持されると共に、例えまつげエクステンション用人工毛に回転力が作用しても略Ｕ字状（Ω字状）に複数の屈曲部を有して把持されることにより把持中に回転してまつ毛への装着角度に狂いを生じることが無く、さらにまつげエクステンション用人工毛の保持形状が略Ｕ字状（Ω字状）で複数の屈曲部を有していることにより例え複数本のまつげエクステンション用人工毛を把持しても各々のまつげエクステンション用人工毛に対する保持力は安定して得られることとなって各まつげエクステンション用人工毛は軸方向にずれを生じることがない。【００２０】本発明に係るまつげエクステンション用人工毛の把持用ピンセット１の第３実施例を図１０に示すが、把持部５の対抗する把持部把持面５−１の双方に軟質材被膜７を設けて凸条部Ｂと凹条部Ａの凹凸嵌合によりまつげエクステンション用人工毛８は凸条部Ｂと凹条部Ａ側軟質材被膜７及び凸条部側軟質材被膜７により略Ｕ字状（Ω字状）に複数の屈曲部を有して変形されて挟持され且つ強固に把持されている状態を示すが、まつげエクステンション用人工毛８は凹条部Ａ側と凸条部側双方の軟質材被膜により挟持され把持されることになり把持されずに露出している部分の方向性が安定し施術作業がし易い。【００２１】本発明に係るまつげエクステンション用人工毛の把持用ピンセット１の第４実施例を図１１に示すが、把持部５の対抗する把持部把持面５−１の凸条把持面５−１Ｂ及び凹条把持面５−１Ａの双方の周縁を軟質材被膜７にて被覆した例を示すが、凸条部Ｂと凹条部Ａの凹凸嵌合によりまつげエクステンション用人工毛８は凸条部Ｂとて凹条部Ａの嵌合に伴う略Ｕ字状（Ω字状）に複数の屈曲部を有して変形されて且つ凸条把持面５−１Ｂ及び凹条把持面５−１Ａの双方の周縁を被覆した軟質材被膜７により挟持・把持されることとなり前記実施例と同様作用効果を得ている。【００２２】  本発明に係るまつげエクステンション用人工毛の把持用ピンセット１１の第５の実施例にあっては、図１２に正面図、図１３に平面図、図１４に凸条把持面側より見た把持部把持面の斜視図、図１５に図１４のＩＩＩ−ＩＩＩ断面図、図１６に凹条把持面側より見た把持部把持面の斜視図、図１７に図１６のＩＶ−ＩＶ断面図を示すが、一端が二枚の操作部１３が固定された連結部１２を形成し前記操作部１３の他端側がアーム部１４を介して先端側の把持部１５に連なり、前記アーム部１４より先端側に連接された対向する前記把持部１５の一方の該把持部１５の斜視図を図１４に示すがその先端にかけて湾曲した把持部把持面１５−１であり凸条部Ｂを有する凸条把持面１５−１Ｂの主要表面は軟質材被膜１７が被覆しており、そのＩＩＩ−ＩＩＩ断面図を図１５に示すが把持部把持面１５−１に凹条部Ａと凹凸嵌合する凸条部Ｂを有する凸条把持面１５−１Ｂとしその周縁を軟質材被膜１７被覆している、また対向する前記把持部１５の他方の該把持部１５の斜視図を図１６に示すがその先端にかけて同一湾曲形状に湾曲した把持部把持面１５−１であり凹条部Ａを有する凹条把持面１５−１Ａの主要表面は軟質材被膜１７が被覆しており、そのＩＶ−ＩＶ断面図を図１７に示すが把持部把持面１５−１に凸条部Ｂと凹凸嵌合する貫通した溝状を呈する凹条部Ａを有して平行する凹条把持面１５−１Ａとしその各々の周縁を軟質材被膜１７被覆している。なおピンセットの材質は特に限定しないが金属製である場合ステンレス鋼、チタン及びその合金、銅合金などピンセットとして一般に広く使用される金属で良く、また樹脂製の場合は硬質な樹脂やカーボンやアラミドなどの長繊維や短繊維、ナノファイバーを含有し強化され剛性の向上した硬質樹脂などが好ましい。なお使用されている軟質材被膜１７の弾性係数は５〜２０００ＭＰａの軟質材であり凸条部Ｂも弾性係数は５〜２０００ＭＰａの軟質材にて製造されている。またが前記把持部把持面１５−１の長さＬは１．０〜１０．０ｍｍが好ましく、さらに前記把持部１５の厚さ、即ち把持部把持面１５−１Ａ、１５−１Ｂの厚さＴは０．５〜３．０ｍｍが好ましく、また前記把持部１５の把持部把持面１５−１Ａ、１５−１Ｂの各々の幅Ｗは０．３〜３．０ｍｍが好ましく、さらにまた軟質材被膜１７の把持面での好ましい被膜厚さｔが１０〜１００μｍである。また軟質材被膜用の材質としてはゴム、シリコンゴム、フッ素ゴム、プリエチレン、ポリ塩化ビニル、ナイロン（ポリアミド）、ウレタン等の樹脂を弾性係数が５〜２０００ＭＰａとなるよう調整して使用する。【００２３】  本発明に係るまつげエクステンション用人工毛の把持用ピンセット１１の第６の実施例にあっては図１８に示す軟質材被膜１７が被覆された直線的先細り状把持部１５にてまつげエクステンション用人工毛８が把持された状態を示し、図１９は図１８の把持部１５により把持されたまつげエクステンション用人工毛８の軸心に沿うＶ−Ｖ断面図で切断した断面図であり、把持部把持面１５−１の凸条把持面１５−１Ｂに軟質材製凸条部Ｂを設けその周縁を軟質材被膜１７にて被覆し、把持部把持面１５−１の貫通した溝状を呈する凹条部Ａを有して平行する凹条把持面１５−１Ａの周縁を軟質材被膜１７にて被覆し、凹条部Ａへ凹凸嵌合させてまつげエクステンション用人工毛８を把持しつつある状態を示す。
図２０は把持が完了した状態の図１８のＶ−Ｖ断面の部分拡大断面図であり凸条部Ｂと凹条部Ａの凹凸嵌合によりまつげエクステンション用人工毛８は凸条部Ｂ側と凹条部Ａ側の各々の軟質材被膜１７を介して略Ｕ字状（Ω字状）に複数の屈曲部を有して変形されて挟持され且つ強固に把持されている状態を示すが、またまつげエクステンション用人工毛８は凸条部Ｂ側と凹条部Ａ側双方の軟質材被膜１７とにより挟持され把持されるので把持されずに露出している部分の方向性が安定し施術作業がし易い。【００２４】  本発明に係るまつげエクステンション用人工毛の把持用ピンセット１１の第７の実施例にあっては図２１に示す軟質材被膜１７が被覆された直線的先細り状把持部１５にて径の細いまつげエクステンション用人工毛８−１及び径の太いまつげエクステンション用人工毛８−２を一括して把持された状態を示し、図２２は図２１の把持部１５により一括して把持された径の細いまつげエクステンション用人工毛８−１と径の太いまつげエクステンション用人工毛８−２の各々の軸心に沿うＶＩ−ＶＩ断面で切断した断面図であり、図の上部が径の細いまつげエクステンション用人工毛８−１を把持した断面状況を、図の下部が径の太いまつげエクステンション用人工毛８−２を把持した状況を各々示しており、把持部把持面１５−１の凸条把持面１５−１Ｂに軟質材製凸条部Ｂを設けその周縁を軟質材被膜１７にて被覆し、把持部把持面１５−１の貫通した溝状を呈する凹条部Ａを有して平行する凹条把持面１５−１Ａの周縁を軟質材被膜１７にて被覆し、凹条部Ａへ凹凸嵌合させて径の細いまつげエクステンション用人工毛８−１と径の太いまつげエクステンション用人工毛８−２の各々を一括して同時に把持した状態の断面を示している。
把持操作に伴う凸条部Ｂと凹条部Ａの凹凸嵌合により径の細いまつげエクステンション用人工毛８−１と径の太いまつげエクステンション用人工毛８−２は各々共に軟質材製凸条部Ｂ及び該凸条部Ｂ側と凹条部Ａ側の各々の軟質材被膜１７を介して各々共に略Ｕ字状（Ω字状）に複数の屈曲部を有して変形されて挟持され且つ各々共に強固に把持されるので、例え細いまつげエクステンション用人工毛８−１及び太いまつげエクステンション用人工毛８−２に回転力が作用しても略Ｕ字状（Ω字状）に複数の屈曲部を有して把持されることにより把持中に回転して地まつ毛への装着角度に狂いを生じたり、細いまつげエクステンション用人工毛８−１及び太いまつげエクステンション用人工毛８−２の各々に軸方向にずれを生じたり、装着時に細いまつげエクステンション用人工毛８−１が脱落したり安定した把持ができないなどの問題が生じることがない。【００２５】    本発明に係るまつげエクステンション用人工毛の把持用ピンセット２１の第８の実施例にあっては、図２３に平面図、図２４は図２３の把持用ピンセット２１の把持部２５先端のＶＩＩ−ＶＩＩ断面図、図２５は図２３の把持用ピンセット２１の把持部２５先端のＶＩＩＩ−ＶＩＩＩ断面図、図２６は図２４の断面位置におけるまつげエクステンション用人工毛８を把持した状態を示す拡大断面図、図２７は図２５の断面位置におけるまつげエクステンション用人工毛８を把持した状態を示す拡大断面図を示すが、一端が板状の操作部２３に連なる屈曲した支点部２２を形成し前記操作部２３の他端側がアーム部２４を介して先端側の把持部２５に連なり、前記アーム部２４より先端側に設けられた前記把持部２５は直線状で対向する把持部把持面２５−１を各々有し該把持部把持面２５−１には軸方向に設けられて各々凹凸嵌合する凹条部Ａを有する凹条把持面２５−１Ａ及び凸条部Ｂを有する凸条把持面２５−１Ｂが設けられており、また把持部２５が先細り状であるので前記凹条把持面２５−１ＡのＶＩＩ−ＶＩＩ断面位置では図２４に示す様に有低溝状であった凹条部ＡはＶＩＩＩ−ＶＩＩＩ断面位置では図２５に示す様に貫通した溝状であり、また前記凹条部Ａは何れの位置でも軟質材被膜２７により被覆されており、さらに前記操作部２３の内側には一端に該操作部２３の内面に固定された固定部９−２に揺動自在に接続され他端に前記操作部２３の内面と摺動する摺動部９−３が設けられ且つまつげエクステンション用人工毛の把持用ピンセット２１の長さ方向の軸心方向へ向かって凸状に湾曲した湾曲部９−１を有する内接スプリング９を前記湾曲部９−１が相互に当接するよう対向配置させて各々設けてある。
従って把持操作に伴う凹条把持面２５−１Ａの凹条部Ａと凸条把持面２５−１Ｂの凸条部Ｂとがまつげエクステンション用人工毛８を挟持しながら凹凸嵌合することによりまつげエクステンション用人工毛８は図２６に示すＶＩＩ−ＶＩＩ断面位置であっても図２５に示すＶＩＩＩ−ＶＩＩＩ断面位置であっても略Ｕ字状（Ω字状）に複数の屈曲部を有して変形されながら把持されることとなり強固な保持力で安定して把持されると共に、例えまつげエクステンション用人工毛に回転力が作用しても略Ｕ字状（Ω字状）に複数の屈曲部を有して把持されることにより把持中に回転してまつ毛への装着角度に狂いを生じることが無く、さらにまつげエクステンション用人工毛の保持形状が略Ｕ字状（Ω字状）で複数の屈曲部を有していることにより例え複数本のまつげエクステンション用人工毛を把持しても各々のまつげエクステンション用人工毛に対する保持力は安定して得られることとなって各まつげエクステンション用人工毛は軸方向にずれを生じることがなく、また例え太さの異なるまつげエクステンション用人工毛８を一括して複数本を保持してまつげエクステンション用人工毛８に回転力などが作用しても略Ｕ字状（Ω字状）に複数の屈曲部を有して把持されることにより把持中に回転して地まつ毛への装着角度に狂いを生じたり、まつげエクステンション用人工毛８の各々に軸方向にずれを生じたり、装着時に細いまつげエクステンション用人工毛８が脱落したり安定した把持ができないなどの問題が生じることがない。
また、前記操作部２３の内側に前記内接スプリング９を前記湾曲部９−１が相互に当接するよう対向配置させて各々設けてあるので、操作時に前記内接スプリング９による反発力により操作力が相殺されることにより大きな把持力で挟持することが出来て把持力の微調整が不要となり安定して装着作業を施術できるので常時微弱な操作力を以で操作部を微妙に挟持しなければならないという問題が生じることがない。
【産業上の利用可能性】
【００２６】  本発明に係るまつげエクステンション用人工毛を把持する金属製又は硬質樹脂製のピンセットは、把持部把持面が好ましい長さ、把持部が好ましい幅、厚さの直線状もしくは湾曲状で対向する平坦な把持部把持面を有し、把持部把持面には軸方向に各々凹凸嵌合する凹条部を有する凹条把持面及び凸条部を有する凸条把持面が設けられ、且つ該凹条把持面及び該凸条把持面の一方若しくは双方が弾性係数が５〜２０００ＭＰａで把持面での被膜厚さが１０〜３０μｍの軟質材被膜で前記把持部把持面長さより好ましくは長く被覆されていることにより、把持時に凹条部と凸条部とがまつげエクステンション用人工毛を挟持しながら凹凸嵌合することによりまつげエクステンション用人工毛は略Ｕ字状（Ω字状）に複数の屈曲部を有して変形されながら把持されることとなり強固な保持力で安定して把持され、例えまつげエクステンション用人工毛に回転力が作用しても把持中に回転してまつ毛への装着角度に狂いを生じることが無く、さらに例え複数本のまつげエクステンション用人工毛を一括把持しても各々のまつげエクステンション用人工毛に対する保持力は安定して得られて各まつげエクステンション用人工毛が軸方向にずれを生じることがなく、さらにまた複数本の多少径の異なるまつげエクステンション用人工毛を把持しても把持中に径の細いまつげエクステンション用人工毛が軸方向にずれを生じたり回転してまつ毛への装着角度に狂いを生じたり、装着時にまつげエクステンション用人工毛が脱落して把持できないなどの問題が生ぜず地まつげにまつげエクステンション用人工毛を装着する施術時のピンセットの操作性も向上し長期に亘りまつげエクステンション用人工毛を安定して把持し施術することが出来る等の優位性を有しており、エクステンションを施す専門店等において広く利用されるものであり、産業上利用可能性を有している。
【符号の説明】
【００２７】１、１１、２１    ピンセット
２、１２、２２    支点部
３、１３、２３    操作部
４、１４、２４    アーム部
５、１５、２５    把持部
５−１、１５−１  把持部把持面
５−１Ａ、１５−１Ａ、２５−１Ａ    凹条把持面
５−１Ａ−１      凹条脇把持面１
５−１Ａ−２      凹条脇把持面２
５−１Ｂ、１５−１Ｂ、２５−１Ｂ    凸条把持面
６    接続部
７、１７、２７    軟質材被膜
８    まつげエクステンション用人工毛
８−１    径の細いまつげエクステンション用人工毛
８−２    径の太いまつげエクステンション用人工毛
９    内設スプリング
９−１      湾曲部
９−２      固定部
９−３      摺動部
Ａ        凹条部
Ｂ        凸条部
【図１】
2019063975.tif 000003
【図２】
2019063975.tif 000004
【図３】
2019063975.tif 000005
【図４】
2019063975.tif 000006
【図５】
2019063975.tif 000007
【図６】
2019063975.tif 000008
【図７】
2019063975.tif 000009
【図８】
2019063975.tif 000010
【図９】
2019063975.tif 000011
【図１０】
2019063975.tif 000012
【図１１】
2019063975.tif 000013
【図１２】
2019063975.tif 000014
【図１３】
2019063975.tif 000015
【図１４】
2019063975.tif 000016
【図１５】
2019063975.tif 000017
【図１６】
2019063975.tif 000018
【図１７】
2019063975.tif 000019
【図１８】
2019063975.tif 000020
【図１９】
2019063975.tif 000021
【図２０】
2019063975.tif 000022
【図２１】
2019063975.tif 000023
【図２２】
2019063975.tif 000024
【図２３】
2019063975.tif 000025
【図２４】
2019063975.tif 000026
【図２５】
2019063975.tif 000027
【図２６】
2019063975.tif 000028
【図２７】
2019063975.tif 000029
【図２８】
2019063975.tif 000030
【図２９】
2019063975.tif 000031